Podtech/llm-jp-corpus-v4-ja_patent huggingface dataset:
(57)【要約】【課題】使用中の防火水槽は、吸管が投入されているため付属の蓋を閉めることができない。このため投入口に人が転落する危険があるという問題があった。また実際、夜間の火災現場において付近の住民が使用中の防火水槽に転落し死亡する事故がおきている。【解決手段】吸管投入口の蓋に換わり、使用中でも投入口を覆うことができ、又、折りたたみができることにより、車両への積載が容易な転落防止カバー５を開発した。本発明により使用中の投入口を覆うことができ、通行人などが転落するのを防止することができる。【選択図】図２
2009131580.tif 000002
【特許請求の範囲】
【請求項１】
吸管の投入口を、覆うことができるカバーと、軸、親骨、支骨からなる、開閉が可能な転落防止カバーであって前記カバーの周縁には少なくとも一以上の吸管挿通部を設け、及び固定手段を設け、前記軸の先端には警告灯を設け、前記軸の下端には錘を設けたことを特徴とする転落防止カバー。
【発明の詳細な説明】
【技術分野】
【０００１】  本発明は例えば、使用中の防火水槽への転落を防ぐことを目的とした転落防止カバーに関する。
【背景技術】
【０００２】  従来、使用中の防火水槽の吸管投入口は、吸管が障害になり蓋を閉めることができず開放したままである。【０００３】  ラバーコーンを吸管投入口近くに置き、注意を促したり、柵型の囲いを置き転落を防ぐ方法が実施される場合がある。
【発明の開示】
【発明が解決しようとする課題】
【０００４】  以上に述べたラバーコーンを置く方法では、投入口を覆うことができず、根本的な解決には至っていない。柵型の囲いは組み立てに時間を要し、車両に積載する際、相当の空間を要するものであった。【０００５】  本発明は、従来の方法が有していた問題を解決しようとするものであり、使用中の吸管投入口を覆い転落事故を防止することができ、かつ設置および車両への積載が容易な転落防止器具を実現することを目的としたものである。
【課題を解決するための手段】
【０００６】  本発明は、上記目的を達成するため、開放された吸管投入口の蓋に換え、吸管の投入口を覆うことができるカバーと、そのカバーを支持する親骨、支骨、軸からなる開閉が可能な転落防止カバーであって前記カバーの周縁には少なくとも一以上の吸管挿通部を設け、及び固定手段を設け、前記軸の先端には警告灯を設け、前記軸の下端には錘を設けたことを特徴とする転落防止カバーである。
【発明の効果】
【０００７】  本発明は、吸管を投入したままの吸管投入口を覆うことができる転落防止カバーで、これにより吸管投入口を覆うことで、転落を防止しすることができる。【０００８】  転落防止カバーは、折りたたむ事ができるので、設置及び収納が簡単である器具を提供できる。
【発明を実施するための最良の形態】
【０００９】  以下、本発明の実施の形態を図１から図３に基づいて説明する。【００１０】  転落防止カバー５は、例えば、図１に記載した様な状態で使用中の吸管投入口２を図２記載の様に覆うことができる大きさとした。【００１１】  カバー６を支持するために、親骨１３、支骨１２、軸１０を配置した。【００１２】  転落防止カバー５は、例えば傘のような構造で、開閉し折りたたむことができる。【００１３】  視認性を向上させるため、カバー６の色は蛍光色を採用した。【００１４】  軸１０の先端には、警告灯７を設けた。【００１５】  吸管１に固定し、転落防止カバー５を安定させるための固定具８を設けた。【００１６】  転落防止カバー５の周縁には、吸管挿通部９を設けた。【００１７】  軸１０の下端には、転落防止カバー５を安定させるための錘１１を設けた。【００１８】  以上のような実施形態によれば、設置及び収納が容易であり、吸管１を投入している防火水槽４の吸管投入口２を覆うことができ、その視認性とあわせて転落事故を防止することができるものである。
【図面の簡単な説明】
【００１９】
【図１】防火水槽から吸管で吸水している車両の様子
【図２】吸管投入口を転落防止カバーで覆っている様子
【図３】転落防止カバーの見取り図
【符号の説明】
【００２０】  １    吸管
２    吸管投入口
３    吸管投入口の蓋
４    防火水槽
５    本発明の転落防止カバー
６    カバー
７    警告灯
８    固定具
９    吸管挿通部
１０    軸
１１    錘
１２    支骨
１３    親骨
【図１】
2009131580.tif 000003
【図２】
2009131580.tif 000004
【図３】
2009131580.tif 000005
(57)【要約】【課題】本発明は、リゾット、カレーライス、すくいにくい飲食物を食べるときに使用する食器を工夫したもので、とくに、食器の一部に湾曲部を設けることにより、飲食物の残りを湾曲部に集めてスプーンを使って容易にすくうことができ、食器に飲食物の一部を残こさないで食べられるようにした食器を提供する。【解決手段】スプーンを使って飲食物を食べるときに使用する食器において、食器（１）の一部に湾曲部（２を設けることを特徴とした食器。【選択図】図１
2009131571.tif 000002
【特許請求の範囲】
【請求項１】
スプーンを使って飲食物を食べるときに使用する食器において、食器（１）の一部に湾曲部（２）を設けたことを特徴とした食器。
【発明の詳細な説明】
【技術分野】
【０００１】  本発明は、リゾット、カレーライス、すくいにくい飲食物を食べるときに使用する食器を改良したもので、とくに、食器の一部に湾曲部を設けることにより、残りの飲食物を湾曲部に集めてスプーンを使って簡単にすくうことができ、食器に飲食物を残こさないで、食べられるように工夫した食器に関するものである。
【背景技術】
【０００２】  従来の皿は、円形で窪みが浅く、底面が平たい形状のものが一般的であった。
最近、家庭でも食生活が洋風化されてきた。
さらに、外食産業の発達にともない、大小の皿、スプーンを使う機会が増えてきた。
たとえば、リゾット、カレーライスなどの飲食物である。
そのときに使用する食器は、形が円形で、浅く底面が平たいものが一般的であった。
また、スプーンの先端部は楕円の形状をしており、スープなどの液体や柔らかい固形物をすくうことに用いられている。
ところが食事の作法は、料理の種類、使用される食器によって異なる。
従来の日本の食事は、飯、魚、野菜が多く、箸や茶碗を使用し食器を手にもって食べる形式であった。
一方、洋食器を使用して食事をするときは、皿は食卓の上に置き、スプーンやフォークなどで飲食物をすくうので、皿を手に持ったまま食事をすることはなかった。
【発明の開示】
【発明が解決しようとする課題】
【０００３】  そのために、次のような問題点があった。
皿は底面部が平たく、スプーンの先端の曲面は、皿の底面部より曲がっているため、スプーンを使って、リゾット、カレーライスなどの飲食物を食べるとき、飲食物の量が減ってくるとすくいにくくなる。
皿の形状が平面で、少し残っている飲食物がすくいにくく、一部を残すこともあった。
これは、食卓に出されたものは残さず食べる、という食事の作法からみて好ましいことではなかった。
また、飲食物を残すと、食器を洗う前に、残飯の処理をしなければならず、後片付けも大変である。
とくに、外食産業においては、大量の飲食物を取り扱うため残飯の量も膨大になり、残飯を衛生的に処理するため、後片付けも大変だった。
スプーンを使って、リゾット、カレーライスなどの飲食物を食べるときに、食器の一部に湾曲部を設けることにより、飲食物の残りを湾曲部に集めて、スプーンで簡単にすくうことができる。
その結果、食器に飲食物残さないで食べることができる。
【課題を解決するための手段】
【０００４】  本発明は、以上のような問題点を考え、その問題点を解決するために発明したものである。
スプーンを使って飲食物を食べるときに使用する食器において、食器（１）の一部に湾曲部（２）を設けたことを特徴とした食器である。
【発明の効果】
【０００５】  以上のように、本発明の食器は、スプーンを使って、食事をするときに使う食器において、食器の一部に湾曲部を設けることにより、飲食物の残りを集めてスプーンを使えば、簡単にすくうことができる。
食器に飲食物の一部を残すことを防げる。
手先の不器用な幼児などにも簡単にすくいとれる。
本発明の食器を使うことよって、残飯の量が減り、食器を洗う前の残飯の処理も簡単である。
食事の後片付けがスムーズになる。
【発明を実施するための最良の形態】
【０００６】  以下、本発明の実施の形態について説明する。
食器（１）の一部に湾曲部（２）を設ける
本発明は以上のような構造である。
これを使用するときは、食器の一部に設けた湾曲部に、残っている飲食物を集めれば、スプーンで簡単にすくうことができる。
また、湾曲部はスプーン先端部縁面のカーブに対応している形状なので、飲食物が少なくなったときに、飲食物を集め、スプーンですくうことができる。
つまり、飲食物の残りを湾曲部に集めてスプーンを使ってすくうことができる。
食器に飲食物の一部を残すことを防げる。
図２に示すように、湾曲部（２）を互い違いにしても良い。
図３は、湾曲部（２）の要部の説明図である。
【図面の簡単な説明】
【０００７】
【図１】  本発明の斜視図である。
【図２】  本発明の他の実施例の斜視図である。
【図３】  本発明の要部である湾曲部の説明図である。
【符号の説明】
【０００８】        １  食器
２  湾曲部
【図１】
2009131571.tif 000003
【図２】
2009131571.tif 000004
【図３】
2009131571.tif 000005
(57)【要約】      （修正有）【課題】持続的な体内に埋め込んだ透析器に流入する血液の限外濾過により持続的な水分分泌により体液量については恒常性を保つことを可能にする慢性腎不全に対する治療法および治療器具を提供する。【解決手段】限外濾過の原理を利用した体内埋め込み型の透析器である。血液はａより流入しｂより流出して体循環に戻ってゆく。透析器通過中に限外濾過にてできた排液はｃより排出され、直接尿路に排出される。また、血液流入部より分岐したカテーテルの先端は皮下にボタンｄ状となっており、薬液の注入を可能にする。【選択図】図１
2009131573.tif 000002
【特許請求の範囲】
【請求項１】
透析膜を内蔵した小型の透析器の流入路に血管を吻合し、血管内の自然圧による限外濾過物の流出路に自己の尿路を吻合した透析器
【請求項２】
体内埋め込み型とした請求項１記載の透析器
【請求項３】
請求項１記載の透析器であって、血液流路より分岐した管の先に付いた皮下ボタンより血液凝固防止の薬液などの注入を可能としたもの
【発明の詳細な説明】
【技術分野】
【０００１】  本発明は、慢性腎不全に対する治療法および治療器具に関する。
【背景技術】
【０００２】  本来慢性腎不全の治療法は血液透析、腹膜透析、腎移植の３種があり、日本において最も普及しているのは血液透析である。本発明は従来よりある血液透析の透析膜を小型化したものを体内に埋め込み、限外濾過による持続的な水分排泄を可能にする。血液は血管と透析器を直接吻合することによって透析器に流入し、透析器内の束となった中空繊維の内部を通過する。中空繊維側面の微細な小孔より限外濾過の原理で分泌された水分（体液）は透析器の排液路を通過し、排液路は自己の尿路と直接吻合することにより自己管理（排泄）を可能とする。
【発明の開示】
【発明が解決しようとする課題】
【０００３】  血液透析とは、体外にとりだした血液を透析器を含む閉鎖回路に通し生体の恒常性維持のため尿毒症物質および水分を除去するものである。多くの患者において通常３〜４時間の透析治療を週３回行う必要があるがこれは主として体液量の管理、つまり過剰になった水分を除去する必要があるためである。【０００４】  そのため、週３回の透析目的の通院もしくは入院を続けなければならず、著しく行動を制限されるという問題がある。【０００５】  また、このような体液量の変動により高血圧・動脈硬化の悪化は必至であり心血管合併症の大きな危険因子として問題になっている。【０００６】  本発明は持続的な体内に埋め込んだ透析器に流入する血液の限外濾過により持続的な水分分泌により体液量については恒常性を保つことを可能にするものである。【０００７】  本発明により慢性腎不全患者の体液量管理がより容易となり、ひいては透析による拘束時間の短縮、体液管理の苦痛の緩和、生活の質の改善、動脈硬化などの合併症の軽減が期待される。【０００８】  また、その限外濾過物については自己の尿路より排泄することが可能であり、補足的な透析や濾過物の廃棄のために病院などの特定施設に通うといった制限の低減が期待される。【０００９】  過去の人工腎臓の開発においては主に腎臓の持つ濾過能のみでなく再吸収能も併せ持つものを目標として行われてきた。これら二つの機能を持つということはより生理的に生体に近いという利点があるもののその複雑さゆえになかなか満足できるものが開発されていないのが現状である。【００１０】  本発明は濾過能のみに視点を置くことにより少なくとも生体の体液管理を達成することを目的とする。よって現時点での技術の応用で十分実現可能であると考えられる。【００１１】  また、本発明は皮下ボタンよりつながる管を介して血液流路に直接血液凝固防止の薬液などを注入することを可能としている。
【図面の簡単な説明】
【図１】  体内透析器の外観図。血液はａより流入しｂより流出して体循環に戻ってゆく。透析器通過中に限外濾過にてできた排液はｃより排出され、直接尿路に排出される。また、血液流入部より分岐したカテーテルの先端は皮下にボタン状となっており（ｄ）、薬液の注入を可能にする。
【図２】  透析器内の概略図。透析に流入した血液は束となった中空糸の中を通過する。中空糸側面に空いた微細な小孔を通じて限外濾過により体液が排出される。
【図３】  皮下ボタンの正面および側面図。上面（ｅ）はシリコンでできており穿刺にて容易に内腔に薬液を注入できる。  ａ  血液流入路  ｂ  血液流出路  ｃ  限外濾過液排液路  ｄ  皮下ボタンおよび薬液注入路  ｅ  皮下ボタン上面
【図１】
2009131573.tif 000003
【図２】
2009131573.tif 000004
【図３】
2009131573.tif 000005
(57)【要約】【課題】一目で誰でも直ぐできる将棋を提供する。【解決手段】字体を構成する直線部の、角度で駒の進行方向、数で進める数が、分かる英文字将棋として提供する。【選択図】図１
2009131570.tif 000002
【特許請求の範囲】
【請求項１】
英大文字駒の字体を構成する、縦・横・斜め・の直線を進路方向とし、直線の数を進める限度とした表裏色違いの駒とキング駒で構成された英文字将棋。
【発明の詳細な説明】
【技術分野】
【０００１】本発明は、将棋の駒に関するものである。
【背景技術】
【０００２】従来、将棋は漢字表示であった。
【発明の開示】
【発明が解決しようとする課題】
【０００３】  漢字表示の将棋は、次のような問題点があった。
駒の進め方、配置、相手圏内に入ってからの取り扱いの変更、等ルールが極めて複雑で理解し難かった。
本発明は、これらの問題点を解決するためになされたものである。
【課題を解決するための手段】
【０００４】（イ）駒表示を英大文字と、ＫＩＮＧ駒の二種類とする。
（ロ）駒の配列は、ＫＩＮＧ駒のみ盤の手前中心部に配置し、その他の英文字駒は、単語の字数によるため特定はしない。
（ハ）駒の進める方向は、英大文字の直線部の延長方向とし、進める数は直線の数以内とする。  以上を特徴とする将棋の駒である。
【発明の効果】
【０００５】（イ）駒の進む方向と、進む数が一目瞭然である。
（ロ）駒の文言を変えれば、駒の進み方が変わり変化が楽しめる。
（ハ）駒の表示を英文字になることによって、万国に通用するゲームになり得る。
（ニ）集中力、洞察力、持久力が養われる。
（ホ）脳を活性化させ、老化予防、リハビリにも有効である。
（ヘ）一家団欒、世代間交流の遊具になる。
【発明を実施するための最良の形態】
【０００６】以下、本発明の実施の形態について説明する。
（イ）駒（１）は、英大文字（２）駒とＫＩＮＧ（３）駒、の二種とする。
（ロ）駒（１）を、表面（１ａ）、裏面（１ｂ）の二色に色分けする。
（ハ）駒（１）自体の表示は、表（１ａ）裏（１ｂ）同じである。
（ニ）英大文字（２）の字体を構成する直線部（４）を、縦線（４ａ）、横線（４ｂ）、左下り斜線（４ｃ）、右下り斜線（４ｄ）、に分解する。
（ホ）直線部（４）の延長線方向を駒の進む方向とする。
（ヘ）直線部（４）の数を駒が進める限度とする。
（ト）（ホ）、（ヘ）を英大文字（２）毎に示せば次のとおり。
Ａ（４ｂ）１（４ｃ）１（４ｄ）１    Ｂ・Ｅ（４ａ）１（４ｂ）３    Ｃ・Ｄ・Ｆ・Ｐ（４ａ）１（４ｂ）２    Ｇ（４ａ）２（４ｂ）３    Ｈ・Ｕ（４ａ）２（４ｂ）１    Ｉ（４ａ）１    Ｌ・Ｔ・Ｊ（４ａ）１（４ｂ）１    Ｋ・Ｙ（４ａ）１（４ｃ）１（４ｄ）１    Ｍ（４ａ）２（４ｃ）１（４ｄ）１    Ｎ（４ａ）２（４ｄ）１    Ｏ（４ａ）２（４ｂ）２    Ｑ（４ａ）２（４ｂ）２（４ｄ）１    Ｖ・Ｘ（４ｃ）１（４ｄ）１    Ｗ（４ｃ）２（４ｄ）２    Ｚ  （４ｂ）２（４ｃ）１    Ｒ（４ａ）１（４ｂ）２（４ｄ）１    Ｓ（４ｂ）３
（チ）ＫＩＮＧ（３）は、前後・左右・左右斜め・の全方向に一進できる。
（チ）ＫＩＮＧ（３）は、前後・左右・左右斜め・の全方向に一進できる。
（リ）将棋盤（５）は、横７枡、縦８枡、の桝目盤とする。
本発明は以上のような構成であり、これで将棋をするには、一例として先ず駒（１）を第一図のように配列してスタートする。  要領は、従来の一般的将棋と同じである。獲得した駒（１）は裏返して再利用ができる。盤上で駒（１）の取り扱いが変わる陣営圏という類のものは無い。
【図面の簡単な説明】
【０００７】
【図１】本発明英大文字駒の、一例として、ＵＬＴＲＡ・ＴＨＩＮＫ、の１０文字、を用いた将棋盤の全体平面図
【図２】本発明大英文字駒の、表面斜視図
【図３】本発明大英文字駒の直線部説明平面図
【符号の説明】
【００８】  １    駒
１ａ  表面
１ｂ  裏面
２    英大文字
３    ＫＩＮＧ
４    直線部
４ａ  縦線
４ｂ  横線
４ｃ  左下り斜線
４ｄ  右下り斜線
５    将棋盤
【図１】
2009131570.tif 000003
【図２】
2009131570.tif 000004
【図３】
2009131570.tif 000005
【手続補正書】
【提出日】平成20年1月28日(2008.1.28)
【手続補正２】
【補正対象書類名】明細書
【補正対象項目名】０００６
【補正方法】変更
【補正の内容】
【０００６】以下、本発明の実施の形態について説明する。
（イ）駒（１）は、英大文字（２）駒とＫＩＮＧ（３）駒、の二種とする。
（ロ）駒（１）を、表面（１ａ）、裏面（１ｂ）の二色に色分けする。
（ハ）駒（１）自体の表示は、表（１ａ）裏（１ｂ）同じである。
（ニ）英大文字（２）の字体を構成する直線部（４）を、縦線（４ａ）、横線（４ｂ）、左下がり斜線（４ｃ）、右下がり斜線（４ｄ）、に分解する。
（ホ）直線部（４）の延長線方向を駒の進む方向とする。
（ヘ）直線部（４）の数を駒が進める限度とする。
（ト）ホ、ヘ、を表示すれば次の通り。
2009131570.tif 000006
（チ）英大文字（２）毎の進路方向と進む数を（ニ）の符号で示せば次の通り。
Ａ（４ｂ１・４ｃ１・４ｄ１）  Ｂ・Ｅ（４ａ１・４ｂ３）  Ｃ・Ｄ・Ｆ・Ｐ（４ａ１・４ｂ２）  Ｇ（４ａ２・４ｂ３）  Ｈ・Ｕ（４ａ２・４ｂ１）  Ｉ（４ａ１）  Ｌ・Ｔ・Ｊ（４ａ１４ｂ１）  Ｋ・Ｙ（４ａ１・４ｃ１・４ｄ１）  Ｍ（４ａ２・４ｃ１・４ｄ１）  Ｎ（４ａ２・４ｄ１）  Ｏ（４ａ２・４ｂ２）  Ｑ（４ａ２・４ｂ２・４ｄ１）  Ｖ・Ｘ（４ｃ１・４ｄ１）  Ｗ（４ｃ２・４ｄ２）  Ｚ（４ｂ２・４ｃ１）  Ｒ（４ａ１・４ｂ２・４ｄ１）  Ｓ（４ｂ３）
（リ）ＫＩＮＧ（３）は、前後・左右・左右斜め・の全方向に二進できる。
（ヌ）将棋盤（５）は、横７枡、縦９枡、の桝目盤とする。
本発明は以上のような構成であり、これで将棋をするには、一例として先ず駒（１）
を第２図のように配列してスタートする。
（ル）要領は、従来の一般的将棋と同じである。
（ヲ）獲得した駒（１）は裏返して再利用ができる。
【手続補正３】
【補正対象書類名】明細書
【補正対象項目名】０００７
【補正方法】変更
【補正の内容】
【０００７】
【図１】本発明大英文字駒の直線部説明平面図
【図２】本発明英大文字駒の、一例として、ＵＬＴＲＡ・ＴＨＩＮＫ、の１０文字、を用いた将棋盤の全体平面図
【図３】本発明大英文字駒の、表面斜視図
【図４】本発明大英文字駒の直線部説明平面図
【手続補正４】
【補正対象書類名】図面
【補正対象項目名】全図
【補正方法】変更
【補正の内容】
【図１】
2009131570.tif 000007
【図２】
2009131570.tif 000008
【図３】
2009131570.tif 000009
【図４】
2009131570.tif 000010
(57)【要約】      （修正有）【課題】従来の発電は燃料を媒介とするエンジン動力による発電、風力発電、太陽光発電、水力発電、火力発電、原子力発電といずれも公害や自然環境破壊及び危険を伴い地球の自然環境に左右され安定した電力エネルギーを確保できない状況にある。電気モーターにより発電機を稼動させ無公害の電力生産を実現する。【解決手段】本モーター連動発電機を動力源とした場合、工業用動力等の機械に装着し、モーター動力稼動と発電電力発生の二重のエネルギー効果を発揮する、そして、他に必要な電力エネルギーとして他方面の電力供給が幅広く利用実現するものである。本モーター連動発電機を数多く連動することにより多くの電気エネルギーが生産され更に電気のネットワークが網羅され無エネルギー無公害の電力生産を可能とする。【選択図】なし【特許請求の範囲】
【請求項１】
モーターと発電機の連動組合せ構造でモーター回転により連動された発電機が回転され電力が発生されることを特徴とする、モーター連動発電機。
【請求項２】
上記モーター連動発電機は発電だけでなく動力源となるモーター連動発電機である。
【発明の詳細な説明】
【技術分野】
【０００１】本発明は電気動力のモーター稼働力により連動された発電機で電気エネルギーを発生させ、及び動力源を兼ねて電力発生を目的とする。
【背景技術】
【０００２】従来の発電は燃料を媒介とするエンジン動力による発電、風力発電、太陽光発電、水力発電  火力発電、原子力発電といずれも公害や自然環境破壊及び危険を伴い地球の自然環境に左右され安定した電力エネルギーを確保できない状況にある。
【発明の開示】
【発明が解決しようとする課題】
【０００３】現在、発電所が発電している発電電量は各一般家庭にいたるまでの必要電力量以上を発生させ供給している。今後の電力消費増大に現在の発電方法では電力量が不足し、更に貴重な化石燃料を無駄に消費させ公害を増大させ、地球温暖化防止の実現は出来ない。本発明は現在の発電電量を減少させ、今後の電力消費増大に対応し、貴重な化石燃料の消費を減少させ地球温暖化防止を実現させ地球の自然環境維持に貢献するモーター連動発電機である。【０００４】上記記載により発電所は、大規模な工場への膨大な電力供給及び一般家庭に至るまでの電力生産供給を大幅に減少する事が出来る。【０００５】本モーター連動発電機は不安定な気象による風や太陽光の影響を受けない、安定した少電力のモーター回転により連動された幾つもの発電機よりこれまで以上の電力が発生され電力不足が解消されるものである。【０００６】本モーター連動発電機を動力源とした場合、工業用動力等の機械に装着し、モーター動力稼動と発電電力発生の二重のエネルギー効果を発揮する、そして、他に必要な電力エネルギーとして他方面の電力供給が幅広く利用実現するものである。【０００７】更に上記説明応用で連動により発電された電力は、二次的に三次的にと多くの発電増幅が可能で膨大な発電電量が無エネルギー無公害で生産される。更にこの電気エネルギーが循環する事により電気が途絶えることがなく電力発生が可能となる。
【課題を解決するための手段】
【０００８】上記目的を達成する本発明は、モーターと数多くの連動された発電機が回転され電力が発生されるものである。【０００９】また、発電された電力は同系のモーター連動発電機として作動する構造機器である。更にこのモーター連動発電機のモーター連動は動力源として起動され、車両等に搭載した場合走行時に電力が同時に発生され、電力循環構成により媒介エネルギー無しで車両の走行が可能となる。
【発明の効果】
【００１０】このモーター連動発電機のモーターは現在多くの動力源として使用されているモーターそして、発電機に於いてはさまざまな電力発生の構成組み合わせが可能で、エネルギー発生と動力発生を同時に起動する画期的なモーター連動発電機であり今後の産業技術として実現されるものである。
【発明を実施するための最良の形態】
【００１１】以下、本発明の実施の形態を図面に基ずき説明する。【００１２】図１図２は本発明のモーター連動発電機の機械構成図である、図１はモーター回転連動により多くの発電機が回転され電力が発生される。
モーターは１電源より回転され３発電機が同時に回転され発電、配線により５制御盤へ電気が流れ、６コントロール装置を通り電力供給となる。【００１３】図２は図１より発生された電力により動力源としての機械としながら同時に発電する構造を有する、この構造を乗り物の、７回転軸に構成装着する事により走行と同時に発電電力がモーター起動電源として作動し、発生電力のコントロールにより他の媒介エネルギー無しで走行できる多くの乗り物が実現する。【００１４】図２はモーター数を増やした連動発電機で動力起動が増大され、同時に電力発生を伴う構成図である。【００１５】図１本モーター連動発電機を一般家庭に起用した場合、電力会社より約１０分の１の電力供給を受け従来通りの電力供給とする事が可能となる。【００１６】本発明は今後全世界のあらゆる工業部門、商業部門、に必要不可欠なエネルギー供給源となり、今後の地球温暖化防止に貢献し恒久的に人類が生存できる為の発明である。
【産業上の利用可能性】
【００１７】本モーター連動発電機の利用用途として膨大な電力生産をする発電産業から一般家庭の電力消費に至る分野、及び工業産業等あらゆる分野に利用可能性を共ない今後の経済成長の重要な基盤となる。また本発明は公害を発生しない、騒音を発生しない、機器の設置に環境問題や大規模な敷地を必要としない、とさまざまな利点がある、更に本機器は無公害の起動源としての動力生産を伴う機械商品として製造販売が可能であり産業上の利用可能性は計り知れない。
【図面の簡単な説明】
【００１８】
【図１】本発明のモーター連動発電機に関する構成機器の構造の仕組みを図化したものである。
【図２】図１同様モーター連動発電機であるがモーター数を増やし動力の起動源とした図、そして同時に発電できる構成機器の構造の仕組みを図化したものである。
【符号の説明】
【００１９】１  電源
２  モーター
３  発電機
４  配線
５  制御盤
６  コントロール装置
７  回転軸
2009131141.tif 000002
【手続補正書】
【提出日】平成20年1月30日(2008.1.30)
【手続補正１】
【補正対象書類名】図面
【補正対象項目名】全図
【補正方法】変更
【補正の内容】
【図１】
2009131141.tif 000003
【図２】
2009131141.tif 000004
(57)【要約】      （修正有）【課題】照明灯、信号灯、広告灯などのポールにおいて、車両事故などにより凹みや屈曲を生じた損傷ポールを、加熱や切断することなく修復する。【解決手段】損傷したポールの窓枠から、小型の油圧器７とポール内面の形状に合わせた治具をポール内部に挿入し、治具を変形部に当て、油圧で治具を押すことにより凹み部２を外側に押し戻し、屈曲を修復する。【選択図】図２
2009131890.tif 000002
【特許請求の範囲】
【請求項１】
車両事故等で凹みや屈曲を生じた照明灯、信号灯、広告灯などのポール腐食部を内部から加圧することによりポールの凹み、屈曲を補修する方法。
【請求項２】
ポールの内部を加圧する方法が油圧である請求項１の腐食ポール補修方法。
【発明の詳細な説明】
【技術分野】
【０００１】本発明は、照明灯、信号灯、広告灯などのポールにおいて、車両事故などにより凹みや屈曲を生じた損傷ポールを修復・補強する技術に関する。
【背景技術】
【０００２】車両事故などで凹みを生じ、あるいは屈曲した照明灯、信号灯、広告灯などは美観を損ねるとともに、強風で倒壊する危険を伴う。しかしながらその数は多く、交換には多くの費用を必要とするので放置されているものが多い。
【発明の開示】
【発明が解決しようとする課題】
【０００３】
【０００４】照明灯、信号灯、広告灯などのポールは軟鋼で作られており、表面は銀色に塗装されている。車両事故等でポールが損傷すると、その部分は凹み、屈曲する。このような軟鋼の変形は自動車の板金修理のように加熱変形することによって修復することができる。しかしながら、これらのポールは内部を電線や信号線が通っており、また電子制御装置も格納されているので、加熱修復は好ましくない。したがって、これまでは損傷ポールを建て替える方法が取られていたが、修復を要する対象が多く、費用がかかるために放置されているものが多い。本発明考案は損傷部分を加熱や切断することなく、損傷前の形状に修復し、ポールの倒壊を防止し美観の向上をめざすことを目的としている。ポールの凹みを防止するための先行特許としては特許文献１の方法がある。【特許文献１】特開２００６−０８３６２７号公報
【０００５】
【課題を解決するための手段】
【０００６】軟鋼は室温での塑性加工が容易なので、照明灯、信号灯、広告灯などのポールはすべて冷間加工によって製造されている。本発明考案はこの点に着目して、損傷部分を冷間加工によって修復することを目指した。そのために、ポールの屈曲部分を小型の油圧器により内部から押し戻したところ、加熱をしなくともほぼ変形前の形状に復元できることを見出した。【０００７】照明灯、信号灯、広告灯などのポールはすべて内部を電線、信号線が通っている。またそれらのポールは電力制御用の電子機器を内部に備えており、その取り付け用の窓枠がポール下部に設置されている。【０００８】この窓枠に着目して、ポール凹み部を中から押し戻すために、ポールの窓枠から内部に挿入できる小型油圧器を開発した。さらにポールの内面形状に合わせた治具開発して、これを凹み部に当て、油圧器で押し戻すことにより、凹みが元の形状に戻り、屈曲を修復できることが判明して、本発明考案を成すに至った。
【発明の効果】
【発明を実施するための最良の形態】
【実施例】
【００９】図１に示す直径１２０ｃｍである照明ポールの窓枠下部に生じた凹み▲１▼を修復した。この時に凹み個所上部の窓枠▲２▼から、図２の油圧器を挿入した。油圧ピストンの先にポール内面形状に合わせた治具▲３▼を固定して、徐々に油圧を加えると凹み個所は押し戻されて、ポールの凹みは補修できた。
【産業上の利用可能性】
【００１０】費用のかかる損傷ポールを建て替えることなく、損傷部分修復し、さらに修復部分を補強することによって、ポールの倒壊を防止するとともに、美観を向上することができる。
【図面の簡単な説明】
【００１１】
【図１】の概念説明図である。平面図
【図２】の説明図である。凹み箇所詳細部
【図３】の説明図である。上部から見た詳細部
【符号の説明】
【００１２】：１：照明ポール２：凹み部分３：照明安定器収容部４：油圧ピストン５：ピストン当て台６：油圧ポンプ７：油圧シリンダー
【図１】
2009131890.tif 000003
【図２】
2009131890.tif 000004
【図３】
2009131890.tif 000005
(57)【要約】【課題】  鋼塊から丸棒への鍛造における生産性の向上を目的に、熟練技能の必要な８角形から１６角形を成形する工程が省略でき、かつ、上タップおよび下タップに挟まれても疵が発生しない形状としたタップを提供する。【解決手段】  自由鍛造用のタップの内面形状を、上タップ１および下タップ２ともに９０°〜１５０°の範囲だけ円弧に形状化し、その円弧範囲θの境界から接線を上タップ１および下タップ２の各合わせ面に引き、９０°〜１５０°の範囲分の円弧と上タップ１および下タップ２の各合わせ面に引いた接線とを繋いだ線からなる内面形状に加工して形状化した鋼素材の自由鍛造用のタップ。【選択図】      図１
2009131875.tif 000002
【特許請求の範囲】
【請求項１】
自由鍛造用のタップの内面形状を、上タップおよび下タップともに９０°〜１５０°の範囲だけ円弧に形状化し、その円弧範囲の境界から接線を上タップおよび下タップの各合わせ面に引き、９０°〜１５０°の範囲分の円弧と上タップおよび下タップの各合わせ面に引いた接線とを繋いだ線からなる内面形状に加工して形状化したことを特徴とする鋼素材の自由鍛造用のタップ。
【発明の詳細な説明】
【技術分野】
【０００１】
本発明は鋼素材の自由鍛造に関し、特に鋼素材の表面疵の発生防止に優れた自由鍛造用のタップに関する。
【背景技術】
【０００２】
現状では、自由鍛造にて棒鋼を作るには、金敷を用いて鋼塊を４角形にし、その後８角形を経て１６角形とし、最後にタップを用いて円柱状に仕上げる。
【０００３】
しかし、４角形から８角形、８角形から１６角形を作るには、鋼塊を掴んでいるマニピュレーターという機械を手動で回転させ、４角形もしくは８角形の対角線と金敷の面が垂直になるように圧下して、８角形もしくは１６角形を成形する。このように４角形もしくは８角形の対角線を垂直に圧下するためには、熟練技能が必要である。特に熟練技能を必要とするのは、角数の多い８角形から１６角形を成形する場合である。
【０００４】
そのため、１６角形の成形を省略し、８角形のままでタップ掛けを実施したいが、角が出ているため、上下のタップに挟まれて、タップの角の痕が被鍛造材に残ってタップ疵となってしまう。
【０００５】
このような問題があるため、８角形から１６角形と成形する工程を省略することができず、生産性を向上できずにいた。
【０００６】
一方、タップの高さ方向にスプリングを設けて、プレスにより圧下を掛けていないときは、上タップが下タップに載ってない状態を作り、その間に被鍛造材を回転させるという方法が開示されている（例えば、特許文献１参照。）。しかし、この方法の技術は被鍛造材を回転させることには有効ではあるが、上下タップに挟まれてタップ疵となってしまうことについては有効ではなかった。
【０００７】
【特許文献１】特開昭６１−４９７３７号公報
【発明の開示】
【発明が解決しようとする課題】
【０００８】
本発明が解決しようとする課題は、以上のように、鋼塊から丸棒への鍛造における生産性の向上を目的に、熟練技能の必要な８角形から１６角形を成形する工程が省略でき、かつ、上タップおよび下タップに挟まれても疵が発生しない形状としたタップを提供することである。
【課題を解決するための手段】
【０００９】
上記の課題を解決するための本発明の手段は、自由鍛造用のタップの内面形状を、上タップ１および下タップ２ともに９０°〜１５０°範囲だけ円弧に形状化し、その円弧範囲θの境界から接線を上タップ１および下タップ２の各合わせ面に引き、９０°〜１５０°の範囲分の円弧と上タップ１および下タップ２の各合わせ面に引いた接線とを繋いだ線からなる内面形状に加工して形状化したことを特徴とする鋼素材の自由鍛造用のタップである。
【００１０】
このタップを使用することにより、８角形から１６角形を成形する工程が省略でき、かつ、上タップ１および下タップ２の両タップに挟まれ手もタップ疵が被鍛造材に発生することがない。
【発明の効果】
【００１１】
本発明の自由鍛造用タップは上記の手段のタップ内面形状としたことで、円形に成形する自由鍛造中の鋼材において、８角形から１６角形に成形する工程が省略することができ、しかも被鍛造材にタップ疵を発生させることなく、生産性を向上させて製造することができるなど、本発明は従来にない優れた効果を奏する。
【発明を実施するための最良の形態】
【００１２】
自由鍛造用の上タップ１および下タップ２ともに、タップの内面形状のうち、円弧になる部分の角度の円弧範囲θを８０°、９０°、１２０°、１５０°、１６０°にそれぞれ設定し、その範囲の円弧の境界点から上タップ１および下タップ２の合わせ面に接線を引き、それぞれの角度の範囲θの円弧とその円弧の端部からの接線を繋いだ線で加工して形状化したタップを作成した。
【００１３】
得られた各タップを使用して、鋼塊からなる被鍛造物を、１０回ずつ、８角形よりタップ掛けを行い、これらの被鍛造物に上タップ１および下タップ２に挟まれてタップ疵が発生しないかどうかを確認した。このタップ掛けの条件は、加熱温度１０００℃から１３００℃にした鋼塊を、製品寸法φ２００ｍｍからφ８００ｍｍの範囲の各丸棒へ仕上げた場合で行った。その結果を表１にまとめた。
【００１４】
【表１】
2009131875.tif 000003
【００１５】
表１において、製品寸法φ２００ｍｍからφ８００ｍｍの何れの鋼材においても、条件現状は、円弧範囲θが１８０°であり、９０°≦θ≦１５０°の条件を満たしておらず、得られた鍛造品のタップ疵の発生率は、この現状のものを１００％とした。
【００１６】
条件アは、円弧範囲θが１６０°であり、９０°≦θ≦１５０°の条件を満たしておらず、得られた鍛造品のタップ疵の発生率は１００％であり現状と変わらなかった。
【００１７】
条件イは、円弧範囲θが１５０°であり、９０°≦θ≦１５０°の条件を満たしており、得られた鍛造品のタップ疵の発生率は０％であり、タップ疵の発生が防止できた。
【００１８】
条件ウは、円弧範囲θが１２０°であり、９０°≦θ≦１５０°の条件を満たしており、得られた鍛造品のタップ疵の発生率は０％であり、タップ疵の発生が防止できた。
【００１９】
条件エは、円弧範囲θが８０°であり、９０°≦θ≦１５０°の条件を満たしておらず、得られた鍛造品のタップ疵の発生率は０％であり、タップ疵の発生は防止できた。
【００２０】
条件オは、円弧範囲θが９０°であり、９０°≦θ≦１５０°の条件を満たしておらず、得られた鍛造品のタップ疵の発生率は１００％であり現状と変わらなかった。
【００２１】
以上の表１の結果より、円弧範囲θとして９０°≦θ≦１５０°であることが、得られた鍛造品のタップ疵の発生の防止に効果があることがわかった。
【図面の簡単な説明】
【００２２】
【図１】図１は上タップおよび下タップの対峙した断面図である。
【符号の説明】
【００２３】
１  上タップ
２  下タップ
θ  円弧範囲
【図１】
2009131875.tif 000004
(57)【要約】【課題】遊技者が持ち込む小物、特にタバコ、携帯電話などを置ける置き台部を備えたパチンコ玉箱を提供することにある。【解決手段】本発明の備品置き台付きパチンコ玉箱は、パチンコ玉収納用の短辺壁と長辺壁と底面を有する方形型玉箱であって、短辺壁部の外側には把持部を配し、把持部付近には凹部を備え、短辺壁と凹部間に携帯電話やタバコなど小物の置き台を備えた事を最も主要な特徴とする。【選択図】図１
2009131404.tif 000002
【特許請求の範囲】
【請求項１】
パチンコ玉収納用の短辺壁と長辺壁と底面を有する方形型玉箱であって、短辺壁部の外側には把持部を配し、把持部付近には凹部を備え、短辺壁と凹部間に携帯電話やタバコなど小物の置き台部備えた事を特徴とする備品置き台付き玉箱。
【請求項２】
パチンコ玉収納用の短辺壁と長辺壁と底面を有する方形型玉箱であって、短辺壁部の外側には把持部を配し、把持部付近には凸部を備え、凸部にて備品の落下を防止した事を特徴とする備品置き台付き玉箱。
【請求項３】
底面あるいは、パチンコ玉箱のいずれかに、備品置き台付き玉箱であること、あるいは備品の置き方を示す図を表示した事を特徴とする請求項１または請求項２に記載の備品置き台付き玉箱。
【発明の詳細な説明】
【技術分野】
【０００１】
本発明は、パチンコ遊技者の保持している携帯電話やタバコなどを置く事ができる置き台を備えたパチンコ玉箱に関するものである。
【背景技術】
【０００２】
近年、近年の携帯電話の普及率アップと共に、携帯電話でパチンコ台の攻略方法や出球状況を知らせるシステムも出てきた。この為、パチンコ台に向いながら携帯電話の画面を見ることも多い。
【０００３】
また、パチンコ店で使用される玉箱は、収納する玉数も増え、収納する玉数が増えたことで玉箱の重さも重くなり、把持部も段々大きくなってきた。この為、パチンコ台下のスペースが狭く、携帯電話やタバコなどの小物を置くスペースがなくなってきている。
【０００４】
遊技者は、パチンコ店で遊ぶ時、遊技者の持っている携帯電話やタバコなどをパチンコ玉箱のなかに置く事もできるが、大当たりなどで玉が出てくると玉箱内には置いておけず、なんらかの置き台を必要としていた。
【発明の開示】
【発明が解決しようとする課題】
【０００５】
本発明は、遊技者が持ち込む小物、特にタバコ、携帯電話などを置ける置き台部を備えたパチンコ玉箱を提供することにある。
【課題を解決するための手段】
【０００６】
上記目的を達成するため本発明の備品置き台付きパチンコ玉箱は、パチンコ玉収納用の短辺壁と長辺壁と底面を有する方形型玉箱であって、短辺壁部の外側には把持部を配し、把持部付近には凹部を備え、短辺壁と凹部間に携帯電話やタバコなど小物の置き台を備えた事を最も主要な特徴とする。
【発明の効果】
【０００７】
本発明の備品置き台付きパチンコ玉箱は、パチンコ玉箱に小物の置き台を備えることで、遊技者はタバコ、携帯電話をパチンコ玉箱の置き台に置く事ができ、よって遊戯者が快適に遊技してもらえるパチンコ玉箱を提供することができる。
【発明を実施するための最良の形態】
【０００８】
備品置き台付きパチンコ玉収納用の玉箱の望ましい形状は、短辺壁部の上面部と把持部付近に連続する面を備えることが望ましい。また、現状において、備品置き台付きパチンコ玉箱は、知名度が低く、特に周知になるまでの間は、備品置き台付き玉箱であること、あるいは備品の置き方を示す図を表示することが望ましい。
【実施例１】
【０００９】
本発明の実施形態について詳しく説明する。本実施例で説明する形状は、これを限定する物ではない。図１は、本発明の備品置き台付きパチンコ玉箱の斜視図である。１は底面を示し、２，３は長辺壁、４，５短辺壁、６，７は把持部、８，９，１０，１１は凹部である。図１では、短辺壁ａ４と把持部６との間に指の通る貫通穴があるため、凹部ｃ１１と、凹部ｄ１２の間が開いた状態になっている。しかし短辺壁と把持部間に貫通穴部を配せず凹部ｃ１１と、凹部ｄ１２が一体にする場合もある。
【００１０】
図２は、備品置き台付きパチンコ玉箱の断面図である。
【００１１】
図３は、備品置き台付きパチンコ玉箱の凹部に備品を置いた斜視図である。１２は携帯電話であり、１３はタバコケースである。携帯電話１２、タバコケース１３は、凹部ａ８から凹部ｄ１１に置かれている。
【００１２】
今回は、玉箱の上面部分に対し、凹部を配する事で、備品を乗せた時容易に落下しないようにしているが、同様に、上面の平らな面に対し、凸部を配し、凸部にて備品を乗せた時、容易に落下しないようにする方法もある。
【産業上の利用可能性】
【００１３】
本発明の備品置き台付きパチンコ玉箱は、パチンコ玉箱でありながら遊技者が保持している携帯電話、タバコを置く台を持ち、よって遊技者に快適環境を与える事ができる。
【図面の簡単な説明】
【００１４】
【図１】本発明の備品置き台付きパチンコ玉箱の斜視図である。
【図２】備品置き台付きパチンコ玉箱の断面図である。
【図３】備品置き台付きパチンコ玉箱の凹部に備品を置いた斜視図である。
【符号の説明】
【００１５】
１    底面
２    長辺壁ａ
３    長辺壁ｂ
４    短辺壁ａ
５    短辺壁ｂ
６    把持部ａ
７    把持部ｂ
８    凹部ａ
９    凹部ｂ
１０  凹部ｃ
１１  凹部ｄ
１２  携帯電話
１３  タバコケース
【図１】
2009131404.tif 000003
【図２】
2009131404.tif 000004
【図３】
2009131404.tif 000005
(57)【要約】【課題】パチンコ店で使用される台車において、パチンコ台の前に座る遊技者の周辺に置かれた状態では、ハンドル無しの状態でありながら、運搬時は、ハンドルが有る台車を提供することにある。【解決手段】本発明のパチンコ玉箱運搬用台車は、４個の車輪と上面台と、係合凹部を備えたパチンコ玉収納用の玉箱を乗せる台車であって、上面部には玉箱のズレ防止部を配し、係合凹部には、玉箱の一方の把持部を指し込み係合する事によって、玉箱のもう一方の把持部を押して台車を動かす事を最も主要な特徴とする【選択図】図５
2009131402.tif 000002
【特許請求の範囲】
【請求項１】
３個以上の車輪と上面台と、係合凸凹部を備えたパチンコ玉収納用の玉箱を乗せる台車であって、上面部には玉箱のズレ防止部を配し、係合凸凹部には、玉箱の一方の把持部を指し込み係合する事によって、玉箱のもう一方の把持部を押して台車を動かす事を特徴とするパチンコ玉箱運搬用台車。
【請求項２】
上記台車の係合凹部に係合する把持部を備えたことを特徴とする玉箱。
【請求項３】
上記台車の係合凹部がパイプ状取っ手を係合する係合凹部とした事を特徴とする請求項１に記載の台車。
【発明の詳細な説明】
【技術分野】
【０００１】
本発明は、パチンコ玉を収納する玉箱を運搬するための玉箱運搬台車に関するものである。
【背景技術】
【０００２】
従来、パチンコ店で遊ぶ遊技者は、大当たりが出ると店員を呼び、追加の玉箱をもらうようになっている。更に出玉が続くとまた店員呼び、玉箱もらう。このため、店員は呼ばれた場合、必ず玉箱を持って遊技者のところへ向っていた。しかし、遊技者は終了段階でも店員を呼ぶことが慣例であり、その時の玉箱は必要なくなる場合がある。
【０００３】
また、女性店員の場合、遊技者が終了と分かると、あらためて台車用のハンドルを取りに戻っていた。この時遊技者は、わずかな時間であっても待つ事にイライラすることがあった。この為、男性定員の場合は、ハンドル無しの状態で台車を動かす事も多い。
【０００４】
本来、台車にハンドルを付けっ放しにすれば良いのだが、多くのパチンコ店では、周囲の遊戯者、行き交う人の迷惑を考え、ハンドルは抜いた状態で置かれ、パチンコ玉を入れた玉箱を運搬する時のみハンドルを差して使用している。
【発明の開示】
【発明が解決しようとする課題】
【０００５】
パチンコ店で使用される台車において、パチンコ台の前に座る遊技者の周辺に置かれた状態では、ハンドル無しの状態でありながら、運搬時は、ハンドルが有る台車を提供することにある。
【課題を解決するための手段】
【０００６】
上記目的を達成するため本発明のパチンコ玉箱運搬用台車は、３個以上の車輪と上面台と、係合凸凹部を備えたパチンコ玉収納用の玉箱を乗せる台車であって、上面部には玉箱のズレ防止部を配し、係合凸凹部には、玉箱の一方の把持部を指し込み係合する事によって、玉箱のもう一方の把持部を押して台車を動かす事を最も主要な特徴とする。
【発明の効果】
【０００７】
本発明のパチンコ玉箱運搬用台車は、遊技者に呼ばれた店員が持ってくる玉箱をハンドルとすることで、従来遊技者に終了段階で呼ばれた時、必要なくなっていた玉箱を有効に使用でき、終了と言う事であらためて台車用ハンドルを取りに戻っていた無駄を無くすことができる。
【発明を実施するための最良の形態】
【０００８】
パチンコ店のフロアーには、台車に積まず、そのままフロアーに積まれた玉箱も多くある。台車で玉箱を運搬する際、それらの玉箱と接触しないことが望ましく、この為、フロアーに積まれた玉箱の把持部と把持部の隙間を、台車に積んだ玉箱の把持部が通過できる台車の高さに台車の天面高さを設定する事が望ましい。
【実施例１】
【０００９】
本発明の実施形態について詳しく説明する。本実施例で説明する形状は、これを限定する物ではない。図１は、パチンコ玉箱運搬用台車を上面方向から見た斜視図である。２は上面台を示し、３は係合凹部、４はズレ防止部である。
【００１０】
図２は、パチンコ玉箱運搬用台車を下面方向から見た斜視図である。１は車輪である。図では、片側２個の車輪は軸が固定であるが、もう片側の２個は、軸が回転する車輪を使用している。
【００１１】
図３は、台車の係合凹部に係合する把持部を備えた玉箱の斜視図である。５は玉収納部であり、６は把持部ａ、７は把持部ｂである。把持部ａ６、把持部ｂ７は、玉箱を両手で玉箱を持つため、玉収納部５の両端に配されている。
【００１２】
図４は、パチンコ玉箱運搬用台車に玉箱を係合した状態の斜視図である。この時、玉箱の一方の把持部ａ６は、台車の係合凹部３に係合している。台車を動かす時は、把持部ｂ７を持ち台車を移動させる。
【００１３】
図５は、図４の状態に玉箱を乗せた状態の斜視図である。図では、台車上に２個の玉箱が乗っているが、玉箱は積み重ねが可能な形状となっており、４段、５段と積み重ねることが多い。
【００１４】
図６は、床に置いた玉箱と、台車に乗せた玉箱の把持部の高さ関係を示した正面図である。図では、フロアーに積まれた玉箱の把持部と把持部の隙間を、台車に積んだ玉箱の把持部が通過できる台車の高さに台車の天面高さを設定した状態を示している。
【産業上の利用可能性】
【００１５】
本発明のパチンコ玉箱運搬用台車は、パチンコ台の前に座る遊技者の周辺に置かれた状態では、ハンドル無しの状態であることで、周囲の遊戯者、行き交う人の迷惑かけにくく、運搬時は、店員が持ってくる玉箱がハンドルとなる事で、店員が効率よく動く事に利用できる。
【図面の簡単な説明】
【００１６】
【図１】本発明のパチンコ玉箱運搬用台車を上面方向から見た斜視図である。
【図２】パチンコ玉箱運搬用台車を下面方向から見た斜視図である。
【図３】台車の係合凹部に係合する把持部を備えた玉箱の斜視図である。
【図４】パチンコ玉箱運搬用台車に玉箱を係合した状態の斜視図である。
【図５】図４の状態に玉箱を乗せた状態の斜視図である。
【図６】床に置いた玉箱と、台車に乗せた玉箱の把持部の高さ関係を示した正面図である。
【符号の説明】
【００１７】
１    車輪
２    上面台
３    係合凹部
４    ズレ防止部
５    玉収納部
６    把持部ａ
７    把持部ｂ
【図１】
2009131402.tif 000003
【図２】
2009131402.tif 000004
【図３】
2009131402.tif 000005
【図４】
2009131402.tif 000006
【図５】
2009131402.tif 000007
【図６】
2009131402.tif 000008